(57)【要約】【課題】同期信号に重畳するノイズを除去して正しい画像が表示されるようにする。【解決手段】表示装置は、第１同期信号を出力するとともに第１同期信号がアクティブレベルの間に画像信号を出力する表示コントローラーと、第１同期信号がアクティブレベルになると第２同期信号をアクティブレベルとしアクティブ期間が基準時間に到るまで第２同期信号をアクティブレベルで維持し、基準時間に到ると第２同期信号を非アクティブレベルとするノイズ除去部と、画像信号と第２同期信号が入力され、所定時間分の画像信号を蓄積し、第２同期信号がアクティブレベルの間、蓄積した画像信号を出力する遅延部と、第２同期信号がアクティブレベルの間に遅延部から入力された画像信号に基づき表示を行う表示部と、を含む。【選択図】図６
2017191235.tif 000002
【特許請求の範囲】
【請求項１】
基準周期でアクティブレベルと非アクティブレベルとの間でレベルが変化する第１同期信号を出力するとともに、前記第１同期信号がアクティブレベルの間に画像信号を出力する表示コントローラーと、
第２同期信号を出力し、前記第１同期信号が入力され、前記第１同期信号がアクティブレベルになると前記第２同期信号をアクティブレベルとし、アクティブレベルが続いたアクティブ期間が、アクティブレベルを維持する時間として予め定められた時間である基準時間に到るまで前記第２同期信号をアクティブレベルで維持し、前記基準時間に到ると前記第２同期信号を前記非アクティブレベルとするノイズ除去部と、
前記画像信号と前記第２同期信号が入力され、所定時間分の前記画像信号を蓄積し、前記第２同期信号がアクティブレベルの間、蓄積した前記画像信号を出力する遅延部と、
前記第２同期信号と前記画像信号が入力され、前記第２同期信号がアクティブレベルの間に前記遅延部から入力された前記画像信号に基づき表示を行う表示部と、を含むことを特徴とする表示装置。
【請求項２】
前記ノイズ除去部は、前記第２同期信号の周期が前記基準周期となるように前記第２同期信号のレベルを変化させることを特徴とする請求項１に記載の表示装置。
【請求項３】
前記第１同期信号は、水平同期信号と垂直同期信号の何れか一方、又は、両方であることを特徴とする請求項１に記載の表示装置。
【請求項４】
請求項１乃至３のいずれか１項に記載の表示装置を含むことを特徴とする画像形成装置。
【発明の詳細な説明】
【技術分野】
【０００１】
本発明は、同期信号を用いて表示を行う表示装置に関する。また、この表示装置を含む画像形成装置に関する。
【背景技術】
【０００２】
データに基づき表示を行うとき、同期信号に基づきデータの送受信や走査ラインの切り替えを行うことがある。同期信号は表示を行ううえで重要な信号である。そのため、同期信号の波形が仕様（条件）を満たさない波形のとき、異常な表示が行われることがある。特許文献１には、装置の起動時のような条件（仕様）を満たさない同期信号が出力され得る期間での異常画像の表示を防ぐ液晶表示装置の一例が記載されている。
【０００３】
具体的に、特許文献１には、入力された同期信号が予め定められた設定条件を満足するか否かを検出し、設定条件を満足する同期信号が入力された場合には、入力された画像信号（画像データ）に基づいて画像を液晶パネル６に表示させ、設定条件を満足しない同期信号が入力された場合には、予め内蔵されているパターン信号に基づいて全面黒画面のような表示を液晶パネル６に行わせる液晶表示装置が記載されている（特許文献１：請求項１、要約等参照）。
【特許文献１】特開平１０−３１９９１６号公報
【発明の概要】
【発明が解決しようとする課題】
【０００４】
複合機、プリンター、ファクシミリ装置のような画像形成装置では、同期信号や表示に用いる画像信号（画像データ）を生成して出力する表示用回路と、表示用回路が出力する同期信号や画像信号を受信し、受信した信号に基づき表示を行う表示部（表示パネル）が設けられる。
【０００５】
表示部は使用者に見やすい位置に設けられる。一方、表示用回路は、制御基板のような画像形成装置内の基板上に設けられる。そのため、表示用回路と表示部の距離が離れる場合がある。このような場合、ケーブルのような信号線を介して表示用回路が出力する同期信号や画像信号が表示部に入力される。
【０００６】
表示用回路と表示部が離れている場合、同期信号にノイズがのることがある。同期信号にノイズがのると、画像信号の送受信が最後まで行われなかったり、画像信号に基づくラインや画面が途中までしか表示されなかったりする。その結果、不適切な色での表示や、表示位置のずれ、画面のちらつきのような異常な表示が行われることがある。つまり、同期信号にノイズが重畳すると異常な表示が行われる場合があるという問題がある。
【０００７】
例えば、水平同期信号にノイズが重畳すると、１ライン分の画像信号の送受信や表示が途中で終わり、ラインの途中までしか表示されない場合がある。そして、１ラインの途中から水平方向に一色（例えば、白色や黒色）のすじが表示される場合がある。
【０００８】
特許文献１記載の技術は、電源投入時から電源が徐々に上昇する期間での異常な信号に対応するための技術である（特許文献１：段落［００２１］、［００２２］、図２等参照）。しかし、電源投入後、電源電圧が上昇した後の信号へのノイズ混入に関する記述は無い。しかも、正常な信号でないとき、不快感を与えないように、全面黒、全面白、全面青のような画面を表示するものの、異常な表示が行われることには変わりが無いという問題もある。
【０００９】
本発明は、上記従来技術の問題点に鑑み、同期信号に重畳するノイズを除去して正しい画像が表示されるようにする。
【課題を解決するための手段】
【００１０】
上記目的を達成するために、請求項１に係る表示装置は、表示コントローラー、ノイズ除去部、遅延部、表示部を含む。前記表示コントローラーは、基準周期でアクティブレベルと非アクティブレベルとの間でレベルが変化する第１同期信号を出力するとともに、前記第１同期信号がアクティブレベルの間に画像信号を出力する。前記ノイズ除去部は、第２同期信号を出力し、前記第１同期信号が入力され、前記第１同期信号がアクティブレベルになると前記第２同期信号をアクティブレベルとし、アクティブレベルが続いたアクティブ期間が、アクティブレベルを維持する時間として予め定められた時間である基準時間に到るまで前記第２同期信号をアクティブレベルで維持し、前記基準時間に到ると前記第２同期信号を前記非アクティブレベルとする。前記遅延部は、前記画像信号と前記第２同期信号が入力され、所定時間分の前記画像信号を蓄積し、前記第２同期信号がアクティブレベルの間、蓄積した前記画像信号を出力する。前記表示部は、前記第２同期信号と前記画像信号が入力され、前記第２同期信号がアクティブレベルの間に前記遅延部から入力された前記画像信号に基づき表示を行う。
【発明の効果】
【００１１】
本発明によれば、同期信号に重畳するノイズを除去し、異常のない同期信号を表示部に供給することができる。従って、ノイズが同期信号に重畳しても、正しい画像を表示部に表示させることができる。
【図面の簡単な説明】
【００１２】
【図１】実施形態に係る複合機の一例を示す図である。
【図２】実施形態に係る表示装置の一例を示す図である。
【図３】実施形態に係る表示装置の一例を示す図である。
【図４】実施形態に係る第１水平同期信号へのノイズ混入とノイズ除去の一例を示す図である。
【図５】実施形態に係る第１垂直同期信号へのノイズ混入とノイズ除去の一例を示す図である。
【図６】実施形態に係る第１水平同期信号と第１垂直同期信号のノイズ除去処理の流れの一例を示すフローチャートである。
【発明を実施するための形態】
【００１３】
以下、図１〜図６を用い、本発明に係る表示装置１を含む複合機１００（画像形成装置に相当）を例にあげて実施形態を説明する。但し、各実施の形態に記載される構成、配置等の各要素は、発明の範囲を限定せず単なる説明例にすぎない。
【００１４】
（複合機１００）
次に、図１に基づき、実施形態に係る複合機１００を説明する。図１は、実施形態に係る複合機１００の一例を示す図である。
【００１５】
図１に示すように、複合機１００内には、制御部２が設けられる。制御部２は、複合機１００の動作を制御する。制御部２は、ＣＰＵ２１、画像処理部２２、表示コントローラー１０を含む。
【００１６】
ＣＰＵ２１は、各種演算や処理を行う。ＣＰＵ２１は、記憶部３に記憶されるプログラム、データに基づき複合機１００の各部の制御や、各種の演算処理や信号処理を行う。画像処理部２２は、印刷ジョブや送信ジョブに用いる画像データへの画像処理を行う。画像処理部２２は、濃度変換、拡大、縮小、回転、データ形式変換のような印刷や送信に用いる画像データへの画像処理を施す。処理後の画像データは、画像形成部６ｃでのトナー像形成や、送信に用いられる。表示コントローラー１０は、表示部４０（図２、図３参照）での表示に関する処理を行う。
【００１７】
記憶部３は、ＲＯＭ、ＨＤＤのような不揮発性とＲＡＭのような揮発性の記憶装置の組み合わせである。記憶部３は、複合機１００の制御用プログラムや制御用データを記憶する。
【００１８】
また、複合機１００は、操作パネル４（図２参照）、原稿搬送部５ａ、画像読取部５ｂを含む。又、複合機１００の内部には、印刷を行う印刷部６（給紙部６ａ、搬送部６ｂ、画像形成部６ｃ、定着部６ｄ）が設けられる。
【００１９】
制御部２は、スキャンを伴うジョブの実行時、セットされた原稿を１枚ずつ送り読取用コンタクトガラス（読み取り位置、不図示）に向けて連続的、自動的に原稿搬送部５ａに搬送させる。また、制御部２は、送り読取用コンタクトガラスを通過する原稿や、載置読取用コンタクトガラス（不図示）にセットされた原稿の読み取りと画像データの生成を画像読取部５ｂに行わせる。
【００２０】
印刷部６の給紙部６ａは、複数の用紙を収容する。印刷ジョブのとき、制御部２は、用紙を１枚ずつ給紙部６ａに供給させる。制御部２は、給紙部６ａから供給された用紙を搬送部６ｂに搬送させる。制御部２は、画像データに基づくトナー像を画像形成部６ｃに形成させ、搬送される用紙にトナー像を転写させる。制御部２は、用紙に転写されたトナー像を定着部６ｄに定着させる。トナー定着後の用紙は、排出トレイ（不図示）に排出される。
【００２１】
更に、制御部２は、各種コネクタ、ソケット、通信制御用のチップを備えた通信部２３と接続される。通信部２３は、ネットワークや公衆回線やケーブルを介し、コンピューター２００やファクシミリ装置３００と通信可能に接続される。通信部２３は、コンピューター２００やファクシミリ装置３００と画像データのやり取りを行える。
【００２２】
（表示装置１）
次に、図２、図３を用いて、実施形態に係る表示装置１の概要を説明する。図２、３は、実施形態に係る表示装置１の一例を示す図である。
【００２３】
図２に示すように表示装置１は、制御部２、記憶部３、操作パネル４を含む。言い換えると、制御部２は、表示装置１の制御部２としても機能する。
【００２４】
操作パネル４は、複合機１００の状態や各種メッセージや各種設定画面を表示する表示部４０を備える。表示部４０は、バックライト付き液晶パネルや有機ＥＬパネルのような表示パネル４０ａを含む。表示パネル４０ａは、表示コントローラー１０が生成した画像信号Ｓｉに基づく表示を行う。また、表示パネル４０ａにはタッチパネル部４１が付される。タッチパネル部４１は、表示パネル４０ａの表示画面中、押された部分の位置、座標を検知するためのものである。タッチパネル部４１の出力に基づき、制御部２は、表示位置がタッチされた操作画像（ソフトキー、ボタン、タブ、チェックボックスのような画像）を認識する。また、操作パネル４には、スタートキーやテンキーのような複数のハードキー４２も設けられる。
【００２５】
表示パネル４０ａは、使用者の操作に応じ、表示する画面を切り替える。操作に応じた画面を表示するため、記憶部３には、表示用データＤ１が記憶される（図３参照）。表示用データＤ１には、背景データ、ボタンやキーのような部品の画像データ、画面内に表示する文字のデータ（予め用意されたテキストデータ）が含まれる。制御部２の表示コントローラー１０は、記憶部３に記憶される表示用データＤ１基づき、表示させる画面の画像信号Ｓｉ（画像データ）を生成する。
【００２６】
表示コントローラー１０は、生成した画像信号Ｓｉを操作パネル４に向けて出力する。表示コントローラー１０は、描画する（走査する）ラインの切り替え（現在のラインの終了と次のラインの開始）を知らせるため、第１水平同期信号Ｈ１（第１同期信号に相当）を生成し、出力する。表示コントローラー１０は、水平基準周期Ｈｔ２（第１水平同期信号Ｈ１の予め定められた理想的な周期、基準周期に相当）の第１水平同期信号Ｈ１を出力する。また、表示コントローラー１０は、第１水平同期信号Ｈ１をアクティブレベルとしている間、１ライン分の画像信号Ｓｉを出力する。
【００２７】
また、表示コントローラー１０は、画面（ページ）の切り替え（現在のページの終了と次のページの開始）を知らせるため、第１垂直同期信号Ｖ１（第１同期信号に相当）を生成し、出力する。表示コントローラー１０は、垂直基準周期Ｖｔ２（第１垂直同期信号Ｖ１の予め定められた理想的な周期、基準周期に相当）の第１垂直同期信号Ｖ１を出力する。第１垂直同期信号Ｖ１の周波数は、６０Ｈｚのような表示パネル４０ａのリフレッシュレートに基づく。具体的に、表示コントローラー１０は、第１垂直同期信号Ｖ１をアクティブレベルとしている間、１ページ分の画像信号Ｓｉを出力する。
【００２８】
なお、以下の説明では、各同期信号のアクティブレベルは、Ｈｉｇｈレベル（正論理）であるものとして説明する。なお、各同期信号は、負論理でもよい。そのため、表示コントローラー１０は、表示部４０に次のラインの開始を知らせるため、１ライン分の画像信号Ｓｉの送信開始前に、第１水平同期信号Ｈ１をＨｉｇｈレベルに立ち上げる。また、１ライン分の画像信号Ｓｉの送信が終了すると第１水平同期信号Ｈ１をＬｏｗレベルに立ち下げる。これにより、表示コントローラー１０は、現在のラインの終了を表示部４０に知らせる。
【００２９】
また、表示コントローラー１０は、次のページの開始を表示部４０に知らせるため、１画面分の画像信号Ｓｉの送信開始前に第１垂直同期信号Ｖ１をＨｉｇｈレベルに立ち上げる。また、表示コントローラー１０は、画面の切り替わり時に第１垂直同期信号Ｖ１をＬｏｗレベルに立ち下げる。これにより、表示コントローラー１０は、現在のページの終了を表示部４０に知らせる。
【００３０】
操作パネル４は、ノイズ除去部１１と遅延部１２を含む（図３参照）。つまり、ノイズ除去部１１と遅延部１２は、表示部４０の近傍に設けられる。表示コントローラー１０とノイズ除去部１１は第１信号線束Ｌ１により接続される。表示コントローラー１０は、第１信号線束Ｌ１を介して第１水平同期信号Ｈ１と第１垂直同期信号Ｖ１をノイズ除去部１１に入力する。ノイズ除去部１１は、第１水平同期信号Ｈ１の周期やアクティブ期間、第１垂直同期信号Ｖ１の周期やアクティブ期間を監視する。ノイズ除去部１１は、第１水平同期信号Ｈ１と第１垂直同期信号Ｖ１に混入したノイズ（不要なパルス）を除去する。
【００３１】
ノイズ除去部１１は、第２水平同期信号Ｈ２（第２同期信号に相当）と第２垂直同期信号Ｖ２（第２同期信号に相当）を出力する。ノイズ除去部１１は、遅延部１２と表示部４０に第２水平同期信号Ｈ２と第２垂直同期信号Ｖ２を入力する。ノイズ除去部１１は、第１水平同期信号Ｈ１と第１垂直同期信号Ｖ１のアクティブ時間の長さや、周期を監視する。ノイズ除去部１１には、演算処理回路やメモリーを１つのチップに集積した回路（マイクロプロセッサ、マイコン）を用いることができる。
【００３２】
表示コントローラー１０と遅延部１２は、第２信号線Ｌ２により接続される。表示コントローラー１０は、第２信号線Ｌ２を介して画像信号Ｓｉを遅延部１２に入力する。遅延部１２は、所定時間分の画像信号Ｓｉを蓄積する。所定時間は、適宜定めることができる。また、所定時間は、第１同期信号のアクティブレベルへの変化に対応し、ノイズ除去部１１が第２同期信号をアクティブレベルに変化させるまでの時間（遅れ、位相差）よりも長い時間とされる。
【００３３】
本実施形態の遅延部１２は、同期信号の少なくとも１周期分の画像信号Ｓｉを蓄積する。第１垂直同期信号Ｖ１は、画面の切替時点を示すので、遅延部１２は、１画面の画像信号Ｓｉを記憶する。
【００３４】
また、遅延部１２は、入力される第２水平同期信号Ｈ２がアクティブレベルの間、蓄積した画像信号Ｓｉを出力する。例えば、遅延部１２は、第１水平同期信号Ｈ１の１周期分の画像信号Ｓｉを出力する。入力される第２水平同期信号Ｈ２がＨｉｇｈレベルに立ち上がると、遅延部１２は、表示部４０に向けて、１ライン分の画像信号Ｓｉの送信を開始する。
【００３５】
また、遅延部１２は、入力される第２垂直同期信号Ｖ２がアクティブレベルの間、蓄積した画像信号Ｓｉを出力する。例えば、遅延部１２は、第１垂直同期信号Ｖ１の１周期分の画像信号Ｓｉを出力する。第２垂直同期信号Ｖ２がＨｉｇｈレベルに立ち上がると、遅延部１２は、表示部４０に向けて、１画面分の画像信号Ｓｉの送信を開始する。
【００３６】
このように、遅延部１２は、画像信号Ｓｉを蓄積する。また、遅延部１２は、第２水平同期信号Ｈ２、第２垂直同期信号Ｖ２の変化にあわせて蓄積した画像信号Ｓｉを表示部４０に入力する。そのため、遅延部１２にはＲＡＭのようなメモリーやシフトレジスタを用いることができる。
【００３７】
表示部４０は、表示パネル４０ａと、表示パネル４０ａの動作を実際に制御する表示制御用ドライバーＩＣ４０ｂを含む。表示制御用ドライバーＩＣ４０ｂは、第２水平同期信号Ｈ２がアクティブレベルから非アクティブレベル（Ｌｏｗレベル）になったとき、走査位置について、現在のラインが終わったこと、及び、次のラインへの移行を認識する。表示制御用ドライバーＩＣ４０ｂは、非アクティブレベルからアクティブレベル（Ｈｉｇｈレベル）になったとき、次のライン（左右方向の１つ下のライン）の先頭（左端）の画素から順番に画像信号Ｓｉが送信されると認識し、順番に受信する。表示制御用ドライバーＩＣ４０ｂは、第２水平同期信号Ｈ２が非アクティブレベル（Ｌｏｗレベル）となるまでの間に１ライン分の各画素の画像信号Ｓｉを受信する。そして、表示制御用ドライバーＩＣ４０ｂは、表示パネル４０ａ中、対応するラインにおいて、受信した各画素の画像信号Ｓｉに基づく表示を表示パネル４０ａに行わせる。
【００３８】
また、表示制御用ドライバーＩＣ４０ｂは、第２垂直同期信号Ｖ２がアクティブレベルから非アクティブレベルになったとき、現在のページの終了を認識する。また、表示制御用ドライバーＩＣ４０ｂは、非アクティブレベル（Ｌｏｗレベル）からアクティブレベル（Ｈｉｇｈレベル）になったとき、表示パネル４０ａ中の先頭ラインに走査位置が戻り先頭ラインの画素から順番に画像信号Ｓｉが送信されるので、描画位置を先頭ラインに戻すと認識する。表示制御用ドライバーＩＣ４０ｂは、第２垂直同期信号Ｖ２が非アクティブレベル（Ｌｏｗレベル）となるまでの間に１ページ分の各画素の画像信号Ｓｉを受信する。そして、表示制御用ドライバーＩＣ４０ｂは、受信した各画素の画像信号Ｓｉに基づく表示を表示パネル４０ａに行わせる。
【００３９】
（第１水平同期信号Ｈ１へのノイズの混入とノイズ除去）
次に、図４を用いて、第１水平同期信号Ｈ１へのノイズの混入とノイズ除去の概要を説明する。図４は、実施形態に係る第１水平同期信号Ｈ１へのノイズ混入とノイズ除去の一例を示す図である。
【００４０】
図４の最上段のタイミングチャートは、ノイズの混入がないときの第１水平同期信号Ｈ１の波形の一例を示す。表示コントローラー１０は、水平基準時間Ｈｔ１（基準時間に相当）、第１水平同期信号Ｈ１をアクティブレベル（Ｈｉｇｈレベル）で保つ。表示コントローラー１０は、第１水平同期信号Ｈ１がアクティブレベルで保たれている間に、１ラインの全ての画素の画像信号Ｓｉを送る。言い換えると、水平基準時間Ｈｔ１は、表示部４０との間で１ラインの全ての画素の画像信号Ｓｉを送受信でき、アクティブレベルを維持すべき時間として予め定められた（理想的な）時間である。
【００４１】
また、表示コントローラー１０は、第１水平同期信号Ｈ１の周期を水平基準周期Ｈｔ２で保つ。水平基準周期Ｈｔ２は、水平基準時間Ｈｔ１に、第１水平同期信号Ｈ１の予め定められた非アクティブレベル（Ｌｏｗレベル）の時間を加算した時間であり、予め定められる。表示コントローラー１０は、第１水平同期信号Ｈ１を一定周期で出力する。
【００４２】
そして、表示コントローラー１０は、操作パネル４に向けて第１水平同期信号Ｈ１を出力する。複合機１００では、制御部２は、複合機１００の背面の位置に設けられる。使用者が操作しやすいように、操作パネル４は複合機１００の前面に設けられる。表示コントローラー１０と操作パネル４の位置が離れている場合、表示コントローラー１０と操作パネル４を繋ぐ信号線が長くなり、第１水平同期信号Ｈ１にノイズが混入しやすくなる。
【００４３】
図４の中段のタイミングチャートは、ノイズが混入したときの第１水平同期信号Ｈ１の波形の一例を示す。図４では、Ｎ＋１番目のラインの画像信号Ｓｉを送信し、描画するために第１水平同期信号Ｈ１をアクティブレベルにしている途中でノイズが混入した例を示している。第１水平同期信号Ｈ１を表示部４０に直接入力する場合、ノイズによって一時的に第１水平同期信号Ｈ１が非アクティブレベルに変化すると、Ｎ＋１番目のラインの画素のうち、表示部４０は途中の画素までしか画像信号Ｓｉを受信できない場合がある。Ｎ＋１番目のラインでは、不足する部分の画素はスジとして表示される。
【００４４】
また、第１水平同期信号Ｈ１を表示部４０に直接入力する場合、一時的にアクティブレベルに変化した後に第１水平同期信号Ｈ１はアクティブレベルに復帰するので、表示部４０は、ラインの切り替わりがなされたと誤認してしまう。これにより、正しい位置に画素が表示されなくなる。
【００４５】
そこで、本実施形態の表示装置１では、ノイズ除去部１１と遅延部１２を設ける。図４の最下段のタイミングチャートは、ノイズ除去部１１が出力する第２水平同期信号Ｈ２の波形の一例を示す。ノイズ除去部１１は、第１水平同期信号Ｈ１がアクティブレベル（Ｈｉｇｈレベル）になると第２水平同期信号Ｈ２をアクティブレベルとする。第２水平同期信号Ｈ２をアクティブレベルとしてからのアクティブ期間が、水平基準時間Ｈｔ１に到るまで第２水平同期信号Ｈ２をアクティブレベルで維持する。そして、ノイズ除去部１１は、アクティブ期間が水平基準時間Ｈｔ１に到ると、第２水平同期信号Ｈ２を非アクティブレベル（Ｌｏｗレベル）とする。
【００４６】
これにより、第１水平同期信号Ｈ１にノイズが混入しても、表示部４０には、アクティブ期間が水平基準時間Ｈｔ１であり、周期が予め定められた水平基準周期Ｈｔ２の水平同期信号が供給される。従って、表示コントローラー１０から操作パネル４までの間でノイズが混入しても、表示される画面が乱れない。
【００４７】
（第１垂直同期信号Ｖ１各へのノイズの混入とノイズ除去）
次に、図５を用いて、各同期信号へのノイズの混入とノイズ除去の概要を説明する。図５は、実施形態に係る第１垂直同期信号Ｖ１へのノイズ混入とノイズ除去の一例を示す図である。
【００４８】
図５の最上段のタイミングチャートは、ノイズの混入がないときの第１垂直同期信号Ｖ１の波形の一例を示す。表示コントローラー１０は、垂直基準時間Ｖｔ１（基準時間に相当）、第１垂直同期信号Ｖ１をアクティブレベル（Ｈｉｇｈレベル）で保つ。垂直基準時間Ｖｔ１は、６０Ｈｚのような予め定められた表示部４０のリフレッシュレートに基づき定まる時間である。表示コントローラー１０は、第１垂直同期信号Ｖ１がアクティブレベルで保たれている間に、１画面分の全画素の画像信号Ｓｉを送る。言い換えると、垂直基準時間Ｖｔ１は、表示部４０との間で１画面分の全画素の画像信号Ｓｉを送受信でき、アクティブレベルを維持する時間として予め定められた（予め定められた）時間である。
【００４９】
また、表示コントローラー１０は、第１垂直同期信号Ｖ１の周期を垂直基準周期Ｖｔ２で保つ。垂直基準周期Ｖｔ２は、予め定められ、１をリフレッシュレートで除して得られる時間である。表示コントローラー１０は、第１垂直同期信号Ｖ１を一定周期で出力する。
【００５０】
そして、表示コントローラー１０は、操作パネル４に向けて第１垂直同期信号Ｖ１を出力する。表示コントローラー１０と操作パネル４の位置が離れている場合、表示コントローラー１０と操作パネル４を繋ぐ信号線が長くなり、第１垂直同期信号Ｖ１にノイズが混入しやすくなる。
【００５１】
図５の中段のタイミングチャートは、ノイズが混入したときの第１垂直同期信号Ｖ１の波形の一例を示す。図５では、Ｎ＋１枚目のページの画像信号Ｓｉを送信し、描画するために第１垂直同期信号Ｖ１をアクティブレベルにしている途中でノイズが混入した例を示している。従来のように、第１垂直同期信号Ｖ１を表示部４０に直接入力すると、ノイズによって第１垂直同期信号Ｖ１が非アクティブレベルに一時的に変化することで、Ｎ＋１枚目のページの全ての画素を受信できない場合がある。不足する部分は、白色や黒色一色で表示される。
【００５２】
また、第１垂直同期信号Ｖ１を表示部４０に直接入力する場合、ノイズが混入したとき、一時的にアクティブレベルに変化した後に第１垂直同期信号Ｖ１はアクティブレベルに復帰するので、表示部４０は、ページの切り替えがなされたと誤認してしまう。これにより、ページ内の画素の表示位置がずれ、ちらつきの原因になる。
【００５３】
図５の最下段のタイミングチャートは、ノイズ除去部１１が出力する第２垂直同期信号Ｖ２の波形の一例を示す。ノイズ除去部１１は、第１垂直同期信号Ｖ１がアクティブレベル（Ｈｉｇｈレベル）になると第２垂直同期信号Ｖ２をアクティブレベルとする。第２垂直同期信号Ｖ２のアクティブ期間が、垂直基準時間Ｖｔ１に到るまで第２垂直同期信号Ｖ２をアクティブレベルで維持する。そして、ノイズ除去部１１は、アクティブ期間が垂直基準時間Ｖｔ１に到ると、第２垂直同期信号Ｖ２を非アクティブレベル（Ｌｏｗレベル）とする。
【００５４】
これにより、第１垂直同期信号Ｖ１にノイズが混入しても、表示部４０には、アクティブ期間が垂直基準時間Ｖｔ１であり、周期が垂直基準周期Ｖｔ２である予め定められた垂直同期信号が供給される。従って、表示コントローラー１０から操作パネル４までの間で第１垂直同期信号Ｖ１にノイズが混入しても、従来のように表示画面が乱れない。
【００５５】
（第１水平同期信号Ｈ１と第１垂直同期信号Ｖ１のノイズ除去処理の流れ）
次に、図６を用いて、実施形態に係る第１水平同期信号Ｈ１と第１垂直同期信号Ｖ１のノイズ除去処理の流れの一例を説明する。図６は、実施形態に係る第１水平同期信号Ｈ１と第１垂直同期信号Ｖ１のノイズ除去処理の流れの一例を示すフローチャートである。
【００５６】
図６のスタートは、主電源投入や省電力モードからの復帰に伴い、表示パネル４０ａに表示を開始させるため、表示コントローラー１０が第１水平同期信号Ｈ１及び第１垂直同期信号Ｖ１を最初にアクティブレベルに変化させた時点である。
【００５７】
まず、第１水平同期信号Ｈ１及び第２垂直同期信号Ｖ２がアクティブレベルに変化したことにより、遅延部１２は、１画面分の画像データを蓄積する（ステップ♯１）。第１垂直同期信号Ｖ１のノイズも除去するので、遅延部１２は、第１垂直同期信号Ｖ１の１周期分（１画面分）の画像信号Ｓｉを蓄積し、表示部４０への画像信号Ｓｉの入力を準備する。なお、遅延部１２が蓄積する画像信号Ｓｉの量は、１画面分よりも少なくてもよいし多くてもよい。
【００５８】
第１垂直同期信号Ｖ１の１周期分（１画面分）の画像信号Ｓｉの蓄積が完了し、２ページ目の画像信号Ｓｉの出力に伴い、第１水平同期信号Ｈ１のノイズ除去処理と第１垂直同期信号Ｖ１のノイズ除去処理が開始される（ステップ♯２１、ステップ♯３１）。
【００５９】
第１水平同期信号Ｈ１のノイズ除去処理では、第１水平同期信号Ｈ１のアクティブレベルへの変化に基づき、遅延部１２は、１ライン分の画像信号Ｓｉの蓄積を開始する（ステップ♯２２）。以後、遅延部１２は、第１水平同期信号Ｈ１がアクティブレベルになるたびに、表示コントローラー１０から入力される１ライン分の画像信号Ｓｉの蓄積を繰り返す。
【００６０】
ノイズ除去部１１は、第２水平同期信号Ｈ２をアクティブレベル（Ｈｉｇｈレベル）とする（ステップ♯２３）。さらに、遅延部１２は、表示パネル４０ａに向けて、蓄積した画像信号Ｓｉのうち、これから描画（走査）するラインの画像信号Ｓｉ（１ライン分の画像信号Ｓｉ）の送信を開始する（ステップ♯２４）。また、表示部４０（表示制御用ドライバーＩＣ４０ｂ）は、描画（走査）するラインを次のラインに切り替える（ステップ♯２５）。
【００６１】
ノイズ除去部１１は、第２水平同期信号Ｈ２のレベルをアクティブレベルで水平基準時間Ｈｔ１、維持する（ステップ♯２６）。そして、ノイズ除去部１１は、第２水平同期信号Ｈ２を非アクティブレベルにする（ステップ♯２７）。第１水平同期信号Ｈ１にノイズが混入し、第１水平同期信号Ｈ１のアクティブ期間が水平基準時間Ｈｔ１よりも短く又は長くなっても、ノイズ除去部１１は無視する。そして、第２水平同期信号Ｈ２のアクティブ期間を水平基準時間Ｈｔ１で維持する。第２水平同期信号Ｈ２の非アクティブレベルへの変化に伴い、遅延部１２は、１ライン分の画像信号Ｓｉの送信を停止する（ステップ♯２８）。
【００６２】
続いて、ノイズ除去部１１は、第２水平同期信号Ｈ２の周期が水平基準周期Ｈｔ２となるように第２同期信号をアクティブレベルに変化させる（ステップ♯２９）。そして、フローは、ステップ♯２４に戻る。複合機１００の電源ＯＦＦや、省電力モードへの移行のような表示パネル４０ａを消すイベントが生じない限り（表示パネル４０ａを表示させる間）、フローはループする。
【００６３】
第１垂直同期信号Ｖ１のノイズ除去処理では、第１垂直同期信号Ｖ１のアクティブレベルへの変化に基づき、ノイズ除去部１１は、第２垂直同期信号Ｖ２をアクティブレベル（Ｈｉｇｈレベル）とする（ステップ♯３２）。第２垂直同期信号Ｖ２のアクティブレベルへの変化に基づき、表示部４０（表示制御用ドライバーＩＣ４０ｂ）は、走査位置を画面の先頭ラインにセットする（ステップ♯３３）。
【００６４】
ノイズ除去部１１は、第２垂直同期信号Ｖ２のレベルをアクティブレベルで垂直基準時間Ｖｔ１維持する（ステップ♯３４）。垂直基準時間Ｖｔ１の維持が完了すると、ノイズ除去部１１は、第２垂直同期信号Ｖ２を非アクティブレベルにする（ステップ♯３５）。第１垂直同期信号Ｖ１にノイズが混入し、第１垂直同期信号Ｖ１のアクティブ期間が垂直基準時間Ｖｔ１よりも短く又は長くなっても、ノイズ除去部１１は無視する。そして、第２垂直同期信号Ｖ２のアクティブ期間を垂直基準時間Ｖｔ１で維持する。
【００６５】
続いて、ノイズ除去部１１は、第２垂直同期信号Ｖ２の周期が垂直基準周期Ｖｔ２となるように第２垂直同期信号Ｖ２をアクティブレベルに変化させる（ステップ♯３６）。そして、フローは、ステップ♯３２に戻る。複合機１００の電源ＯＦＦや、省電力モードへの移行のような表示パネル４０ａを消すイベントが生じない限り（表示パネル４０ａを表示させる間）、フローはループする。
【００６６】
このようにして、実施形態に係る表示装置１は、表示コントローラー１０、ノイズ除去部１１、遅延部１２、表示部４０を含む。表示コントローラー１０は、基準周期（水平基準周期Ｈｔ２、垂直基準周期Ｖｔ２）でアクティブレベル（Ｈｉｇｈレベル）と非アクティブレベル（Ｌｏｗレベル）との間でレベルが変化する第１同期信号（第１水平同期信号Ｈ１、第１垂直同期信号Ｖ１）を出力するとともに、第１同期信号がアクティブレベルの間に画像信号Ｓｉを出力する。ノイズ除去部１１は、第２同期信号（第２水平同期信号Ｈ２、第２垂直同期信号Ｖ２）を出力し、第１同期信号が入力され、第１同期信号がアクティブレベルになると第２同期信号をアクティブレベルとし、アクティブレベルが続いたアクティブ期間が、アクティブレベルを維持する時間として予め定められた時間である基準時間（水平基準時間Ｈｔ１、垂直基準時間Ｖｔ１）に到るまで第２同期信号をアクティブレベルで維持し、基準時間に到ると第２同期信号を非アクティブレベルとする。遅延部１２は、画像信号Ｓｉと第２同期信号が入力され、所定時間分の画像信号Ｓｉを蓄積し、第２同期信号がアクティブレベルの間、蓄積した画像信号Ｓｉを出力する。表示部４０は、第２同期信号と画像信号Ｓｉが入力され、第２同期信号がアクティブレベルの間に遅延部１２から入力された画像信号Ｓｉに基づき表示を行う。
【００６７】
これにより、ノイズ除去部１１は、第１同期信号に重畳したノイズを除去し、アクティブ期間が理想的（最適）な第２同期信号を表示部４０と遅延部１２に供給する。そのため、ノイズの無い同期信号を表示部４０に供給することができる。例えば、ノイズによりアクティブレベルを保持すべき期間中に第１同期信号が非アクティブレベルになっても、第２同期信号のアクティブレベルは基準時間の間維持される。従って、第１同期信号を表示部４０に直接入力する場合に比べ、表示部４０に入力される同期信号の乱れを無くすことができる。そして、ノイズ（同期信号の異常）に起因する異常表示が無くなり、正しい画像のみが表示される。
【００６８】
また、ノイズ除去部１１での処理による第１同期信号の立ち上がりや立ち下がりに対する第２同期信号の立ち上がりや立ち下がりの時間差や遅れを考慮し、所定時間分の画像信号Ｓｉを記憶する遅延部１２を設ける。所定時間は、第１同期信号の変化に対応して第２同期信号が変化するまでの時間（遅れ、位相差）よりも長い時間とされる。更に、遅延部１２には、ノイズ除去部１１が出力する第２同期信号が入力される。そして、遅延部１２は、第２同期信号のアクティブレベルへの変化にあわせて蓄積した画像信号Ｓｉを順次送信する。従って、第２同期信号がアクティブレベルにある間に送信すべき画素数の画像信号Ｓｉを表示部４０に正確に送ることができる。従って、表示コントローラー１０が出力する第１同期信号にノイズが重畳しても、常に正確な画像を表示部４０に表示させることができる。
【００６９】
また、ノイズ除去部１１は、第１同期信号の周期が基準周期と同じとき第１同期信号がアクティブレベルになると第２同期信号をアクティブレベルに変化させ、第１同期信号の周期が基準周期よりも短いとき又は長いとき、第２同期信号の周期が基準周期となるように第２同期信号のレベルを変化させる。
【００７０】
これにより、例えば、周期の終わりに近い位置にノイズが重畳して第１同期信号の周期が乱れても、第２同期信号の周期を基準周期で維持することができる。従って、第２同期信号の周期性が崩れることを防ぐことができる。なお、ノイズが重畳して第１同期信号の周期が乱れても、第１同期信号自体は基準周期で出力されるので、第１同期信号と第２同期信号の位相差は一定で保たれる。
【００７１】
また、第１同期信号は、水平同期信号と垂直同期信号の何れか一方、又は、両方である。これにより、アクティブ期間が正しい期間維持される水平同期信号を表示部４０に入力することができるので、１ライン分の画像信号Ｓｉに基づき、正しい１ラインを表示させることができる。また、アクティブ期間が正しい期間維持される垂直同期信号を表示部４０に入力することができるので、１ページ分の画像信号Ｓｉに基づき、正しいページを表示させることができる。従って、表示コントローラー１０が出力した各同期信号を表示部４０に直接入力する場合に比べ、画像、画面の乱れを無くすことができる。
【００７２】
また、画像形成装置（複合機１００）は、実施形態に係る表示装置１を含む。これにより、表示パネル４０ａの画像の乱れがない高品質の画像形成装置を提供することができる。また、ノイズの影響により画像が乱れることを避けるため、表示コントローラー１０と表示パネル４０ａの距離を短くすべきという設計上の制限を無くすこともできる。
【００７３】
以上、本発明の実施形態を説明したが、本発明の範囲はこれに限定されず、発明の主旨を逸脱しない範囲で種々の変更を加えて実施することができる。
【産業上の利用可能性】
【００７４】
本発明は、表示装置及びこれを備えた画像形成装置に利用可能である。
【符号の説明】
【００７５】
１００  複合機（画像形成装置）          １      表示装置
１０    表示コントローラー              １１    ノイズ除去部
１２    遅延部                          ４０    表示部
Ｈ１    第１水平同期信号（第１同期信号）
Ｈ２    第２水平同期信号（第２同期信号）
Ｈｔ１  水平基準時間（基準時間）    Ｈｔ２  水平基準周期（基準周期）
Ｖ１    第１垂直同期信号（第１同期信号）
Ｖ２    第２垂直同期信号（第２同期信号）
Ｖｔ１  垂直基準時間（基準時間）    Ｖｔ２  垂直基準周期（基準周期）
Ｓｉ    画像信号
【図１】
2017191235.tif 000003
【図２】
2017191235.tif 000004
【図３】
2017191235.tif 000005
【図４】
2017191235.tif 000006
【図５】
2017191235.tif 000007
【図６】
2017191235.tif 000008